(57)【要約】【課題】排気ダクトの断面積を広くして排気量を十分に確保することができる、画像形成装置を提供する。【解決手段】画像形成装置１０は、静電潜像が形成される像担持体としての感光体ドラム５２と、トナーを現像槽６４の内部で攪拌および搬送して感光体ドラム５２に供給する現像装置２０と、トナー補給装置２４と、トナー補給装置２４が装着される本体部１２とを備えている。現像槽６４には、排気口７２が設けられており、排気口７２には、フィルタ７４が設けられている。現像槽６４とトナー補給装置２４との間には、排気口７２に連通する内部空間Ｓを有する排気ダクト３４が構成されている。排気ダクト３４の一部は、現像槽６４およびトナー補給装置２４のそれぞれの互いに対向する壁部６４ａ，２４ａで構成されている。【選択図】図４
2018159726.tif 000002
【特許請求の範囲】
【請求項１】
トナーを収容する現像槽を有し、前記トナーを前記現像槽の内部で撹拌および搬送して像担持体に供給する現像装置と、
前記現像装置にトナーを補給するトナー補給装置と、
前記トナー補給装置が装着される本体部とを備える、画像形成装置において、
前記現像槽における前記トナー補給装置と対向する壁部には、前記現像槽の内部の空気を排出するための排気口が設けられており、
前記排気口には、トナーの排出を阻止するためのフィルタが設けられており、
前記現像槽と前記トナー補給装置との間には、前記排気口に連通する排気ダクトが構成されており、
前記排気ダクトの一部は、前記現像槽および前記トナー補給装置のそれぞれの互いに対向する壁部で構成されていることを特徴とする、画像形成装置。
【請求項２】
前記本体部には、前記排気ダクトに連通するダクト部が設けられており、
前記ダクト部には、前記排気ダクトの内部空間の空気を排出する排気ファンが設けられている、請求項１に記載の画像形成装置。
【請求項３】
前記現像装置は、前記像担持体にトナーを供給する現像ローラを有しており、
前記排気ダクトは、前記現像ローラの軸線に対して平行に延びるように設けられている、請求項１または２に記載の画像形成装置。
【請求項４】
前記現像槽および前記トナー補給装置のそれぞれの互いに対向する前記壁部の間には、前記排気ダクトの一部を構成する第１ダクト構成部が配置されており、
前記第１ダクト構成部は、前記現像槽に一体的に設けられている、請求項１ないし３のいずれか１項に記載の画像形成装置。
【請求項５】
前記現像槽および前記トナー補給装置のそれぞれの互いに対向する前記壁部の間には、前記排気ダクトの一部を構成する第２ダクト構成部が配置されており、
前記第２ダクト構成部は、前記トナー補給装置に一体的に設けられている、請求項１ないし４のいずれか１項に記載の画像形成装置。
【請求項６】
前記現像槽および前記トナー補給装置のそれぞれの互いに対向する前記壁部の間には、前記排気ダクトの一部を構成する第３ダクト構成部が配置されており、
前記第３ダクト構成部は、前記本体部に一体的に設けられている、請求項１ないし５のいずれか１項に記載の画像形成装置。
【発明の詳細な説明】
【技術分野】
【０００１】
この発明は、画像形成装置に関し、特にたとえば、現像槽の内部でトナーを攪拌して帯電させる現像装置を備える画像形成装置に関する。
【背景技術】
【０００２】
プリンタ、複写機およびファクシミリなどの画像形成装置の画像形成プロセスでは、像担持体である感光体の表面に静電潜像が形成され、現像装置から静電潜像に帯電したトナーが供給されてトナー像が形成される。そのため、現像装置の現像槽では、搬送スクリューなどの攪拌部でトナーを攪拌することによってトナーを帯電させる必要があるが、印刷速度の高速化などのために攪拌部の駆動速度が速くなると、現像槽の内圧が上昇して、トナーが外部へ飛散するおそれがある。
【０００３】
そこで、特許文献１に記載された従来の画像形成装置では、現像槽（現像容器）の側壁にダクトからなる排気部を設け、現像槽（現像容器）の内部の空気を排気部に通して外部に排出し、これにより現像槽（現像容器）の内圧が上昇することを抑制していた。
【先行技術文献】
【特許文献】
【０００４】
【特許文献１】特開２０１１−１９７２９１号公報
【発明の概要】
【発明が解決しようとする課題】
【０００５】
しかしながら、特許文献１に記載された画像形成装置では、現像槽（現像容器）の側壁に設けられた排気部が他の部品から独立しているため、小型化の要請から排気部の断面積を広くすることが困難であり、排気量を十分に確保することができなかった。
【０００６】
それゆえに、この発明の主たる目的は、新規な画像形成装置を提供することである。
【０００７】
この発明の他の目的は、排気ダクトの断面積を広くして排気量を十分に確保することができる、画像形成装置を提供することである。
【課題を解決するための手段】
【０００８】
第１の発明は、トナーを収容する現像槽を有し、トナーを現像槽の内部で撹拌および搬送して像担持体に供給する現像装置と、現像装置にトナーを補給するトナー補給装置と、トナー補給装置が装着される本体部とを備える画像形成装置である。現像槽におけるトナー補給装置と対向する壁部には、現像槽の内部の空気を排出するための排気口が設けられており、排気口には、トナーの排出を阻止するためのフィルタが設けられており、現像槽とトナー補給装置との間には、排気口に連通する排気ダクトが構成されており、排気ダクトの一部は、現像槽およびトナー補給装置のそれぞれの互いに対向する壁部で構成される画像形成装置である。
【０００９】
第１の発明では、排気ダクトの一部は、現像槽およびトナー補給装置のそれぞれの互いに対向する壁部で構成されているので、排気ダクトをトナー補給装置から独立して構成する必要がなく、排気ダクトの断面積を広くして排気量を十分に確保することができる。また、排気ダクトを分割して簡単に形成することができる。
【００１０】
さらに、トナー補給装置は、本体部の装着部に着脱可能に装着されるので、装着部からトナー補給装置を離脱させることによって、排気ダクトを分割することができる。これにより、排気ダクトの内部へのアクセスが容易になり、メンテナンスの作業性を高めることができる。
【００１１】
第２の発明は、第１の発明に従属し、本体部には、排気ダクトに連通するダクト部が設けられており、ダクト部には、排気ダクトの内部空間の空気を排出する排気ファンが設けられている。
【００１２】
第２の発明では、排気ファンによって排気ダクトの内部空間の空気を強制的に排出することができるので、現像槽の内圧の上昇をより効果的に抑制できる。
【００１３】
第３の発明は、第１または第２の発明に従属し、現像装置は、像担持体にトナーを供給する現像ローラを有しており、排気ダクトは、現像ローラの軸線に対して平行に延びるように設けられている。
【００１４】
第３の発明では、排気ダクトは、現像ローラの軸線に対して平行に延びるように設けられているので、排気ダクトを現像ローラに沿わせてコンパクトに構成することができる。
【００１５】
第４の発明は、第１ないし第３のいずれかの発明に従属し、現像槽およびトナー補給装置のそれぞれの互いに対向する壁部の間には、排気ダクトの一部を構成する第１ダクト構成部が配置されており、第１ダクト構成部は、現像槽に一体的に設けられている。
【００１６】
排気ダクトの一部を現像槽およびトナー補給装置のそれぞれの互いに対向する壁部で構成しても、これらの壁部の間には隙間が生じることがある。第４の発明では、現像槽に一体的に設けられた第１ダクト構成部で上記隙間を塞ぐことができる。
【００１７】
第５の発明は、第１ないし第４のいずれかの発明に従属し、現像槽およびトナー補給装置のそれぞれの互いに対向する壁部の間には、排気ダクトの一部を構成する第２ダクト構成部が配置されており、第２ダクト構成部は、トナー補給装置に一体的に設けられている。
【００１８】
排気ダクトの一部を現像槽およびトナー補給装置のそれぞれの互いに対向する壁部で構成しても、これらの壁部の間には隙間が生じることがある。第５の発明では、トナー補給装置に一体的に設けられた第２ダクト構成部で上記隙間を塞ぐことができる。
【００１９】
第６の発明は、第１ないし第５のいずれかの発明に従属し、現像槽およびトナー補給装置のそれぞれの互いに対向する壁部の間には、排気ダクトの一部を構成する第３ダクト構成部が配置されており、第３ダクト構成部は、本体部に一体的に設けられている。
【００２０】
排気ダクトの一部を現像槽およびトナー補給装置のそれぞれの互いに対向する壁部で構成しても、これらの壁部の間には隙間が生じることがある。第６の発明では、本体部に一体的に設けられた第３ダクト構成部で上記隙間を塞ぐことができる。
【発明の効果】
【００２１】
この発明によれば、排気ダクトの断面積を広くして排気量を十分に確保することができる。
【００２２】
この発明の上述の目的、その他の目的、特徴および利点は、図面を参照して行う以下の実施例の詳細な説明から一層明らかとなろう。
【図面の簡単な説明】
【００２３】
【図１】この発明の第１実施例に係る画像形成装置の構成を模式的に示す正面図である。
【図２】この発明の第１実施例に係る画像形成装置の要部の構成を模式的に示す部分拡大背面図である。
【図３】図３（Ａ）は、第１実施例に係る画像形成装置における現像装置およびトナー補給装置の一部の構成を示す斜視図であり、図３（Ｂ）は、それらの一部の構成を示す断面図である。
【図４】図４（Ａ）は、図３（Ａ）に対応する部分拡大斜視図であり、図４（Ｂ）は、図３（Ｂ）に対応する部分拡大断面図である。
【図５】図５（Ａ）は、第２実施例に係る画像形成装置における現像装置およびトナー補給装置の一部の構成を示す拡大斜視図であり、図５（Ｂ）は、それらの一部の構成を示す拡大断面図である。
【図６】図６（Ａ）は、第３実施例に係る画像形成装置における現像装置およびトナー補給装置の一部の構成を示す拡大斜視図であり、図６（Ｂ）は、それらの一部の構成を示す拡大断面図である。
【発明を実施するための形態】
【００２４】
以下、本発明の実施例に係る画像形成装置について図面を参照しながら説明する。
［第１実施例］
図１は、この発明の第１実施例に係る画像形成装置１０の構成を模式的に示す正面図であり、図２は、画像形成装置１０の要部の構成を模式的に示す部分拡大背面図である。
【００２５】
図１に示す画像形成装置１０は、パーソナルコンピュータなどの外部装置（図示省略）から入力された画像情報に基づいて、記録媒体の表面にモノクロ画像を形成するプリンタである。なお、記録媒体としては、用紙やオーバーヘッドプロジェクタ用シートなどを使用できるが、以下では、用紙Ｐを使用した場合について説明する。
【００２６】
図１に示すように、画像形成装置１０は、本体部１２と、用紙Ｐを収容する用紙収容部１４と、用紙Ｐを搬送する用紙搬送部１６と、用紙Ｐに画像を形成する電子写真プロセス部１８とを備えている。なお、図１では、電子写真プロセス部１８を一点鎖線で示している。
【００２７】
図１に示すように、本体部１２は、用紙収容部１４、用紙搬送部１６および電子写真プロセス部１８のそれぞれを収容し、かつ、支持する箱状の部材である。本体部１２の内部には、現像装置２０が着脱可能に装着される第１装着部２２と、トナー補給装置２４が着脱可能に装着される第２装着部２６とが設けられている。なお、現像装置２０およびトナー補給装置２４のそれぞれの構成については、後に詳細に説明する。また、本体部１２の内部には、用紙搬送部１６で搬送される用紙Ｐが通過する搬送経路Ｑが上下方向に延びて設けられている。
【００２８】
本体部１２の上部には、用紙Ｐを外部に排出するための用紙排出口２８が設けられており、本体部１２の上面には、用紙排出口２８から排出された用紙Ｐを受ける排紙トレイ３０が設けられている。図１では、用紙Ｐの排出方向を矢印で示している。
【００２９】
図１中の二点鎖線（仮想線）で示すように、本体部１２の前壁部（図示省略）には、第２装着部２６にトナー補給装置２４を装着したり、第２装着部２６からトナー補給装置２４を離脱させたりするときに、トナー補給装置２４が通過する出入口３２が設けられている。
【００３０】
図２に示すように、本体部１２の後壁部１２ａには、現像装置２０とトナー補給装置２４との間に構成された排気ダクト３４に連通するダクト部３６が設けられている。ダクト部３６には、排気ダクト３４の内部空間Ｓの空気を本体部１２の外部に排出するための排気ファン３８が設けられている。なお、排気ダクト３４の構成については、後に詳細に説明する。
【００３１】
図１に示すように、用紙収容部１４は、用紙Ｐを収容する給紙トレイ４０と、給紙トレイ４０に収容された用紙Ｐを１枚ずつ取り出して搬送経路Ｑに供給するピックアップローラ４２とを有している。給紙トレイ４０は、その出口４０ａが搬送経路Ｑに連なるように設けられており、ピックアップローラ４２は、出口４０ａの近傍に設けられている。
【００３２】
図１に示すように、用紙搬送部１６は、一対の第１搬送ローラ４４，４４と、一対のレジストローラ４６，４６と、一対の第２搬送ローラ４８，４８と、一対の第３搬送ローラ５０，５０とを有している。
【００３３】
第１搬送ローラ４４，４４、第２搬送ローラ４８，４８および第３搬送ローラ５０，５０は、給紙トレイ４０から搬送経路Ｑに供給された用紙Ｐを排紙トレイ３０に向けて搬送するものである。レジストローラ４６，４６は、第１搬送ローラ４４，４４によって搬送されてきた用紙Ｐの先端部を一時的に保持し、この用紙Ｐを画像形成のための所定のタイミングで、電子写真プロセス部１８の感光体ドラム５２および転写部５４に供給するものである。これらの各ローラは、モータなどの回転駆動源（図示省略）によって回転されるように構成されている。
【００３４】
図１に示すように、電子写真プロセス部１８は、像担持体としての感光体ドラム５２と、帯電部５６と、露光部５８と、現像装置２０と、トナー補給装置２４と、転写部５４と、クリーニング部６０と、定着部６２とを有している。
【００３５】
感光体ドラム５２は、円柱状または円筒状の導電性基体（図示省略）の表面に感光層（図示省略）を形成したものであり、モータなどの回転駆動源（図示省略）によってその軸線まわりに回転されるように構成されている。
【００３６】
帯電部５６は、感光体ドラム５２の表面を所定の極性および電位に帯電させるものであり、本実施例の帯電部５６は、ローラ型の帯電装置で構成されている。露光部５８は、感光体ドラム５２の表面に光を照射するものであり、本実施例の露光部５８は、レーザ光を出射するレーザ光出射装置で構成されている。帯電部５６によって帯電された感光体ドラム５２の表面に露光部５８からレーザ光が照射されると、感光体ドラム５２の表面には、画像情報に対応する静電潜像が形成される。
【００３７】
図３（Ａ）は、画像形成装置１０における現像装置２０およびトナー補給装置２４の一部の構成を示す斜視図であり、図３（Ｂ）は、それらの一部の構成を示す断面図である。図４（Ａ）は、図３（Ａ）に対応する部分拡大斜視図であり、図４（Ｂ）は、図３（Ｂ）に対応する部分拡大断面図である。なお、図３（Ａ）の手前側の端面は、図３（Ｂ）において斜線で示した端面に対応している。
【００３８】
図１に示す現像装置２０は、感光体ドラム５２の表面にトナーを供給し、感光体ドラム５２の表面に形成された静電潜像をトナーによって顕像化する（トナー像を形成する）ものである。図３（Ａ），（Ｂ）に示すように、現像装置２０は、現像槽６４と、第１搬送スクリュー６６と、第２搬送スクリュー６８と、現像ローラ７０とを有している。
【００３９】
現像槽６４は、第１搬送スクリュー６６、第２搬送スクリュー６８および現像ローラ７０を収容するとともに、現像剤としてのトナーおよびキャリアを収容する容器であり、現像ローラ７０の軸線に対して平行に延びる細長い箱状に形成されている。
【００４０】
図４（Ａ）に示すように、現像槽６４におけるトナー補給装置２４と対向する壁部６４ａには、排気ダクト３４の内部空間Ｓに連通する排気口７２が設けられており、排気口７２には、トナーおよびキャリアの排出を阻止するためのフィルタ７４が設けられている。本実施例では、複数の排気口７２が、排気ダクト３４の長手方向に沿って互いに間隔を隔てて設けられており、複数の排気口７２のそれぞれにフィルタ７４が設けられている。
【００４１】
図４（Ａ），（Ｂ）に示すように、現像槽６４とトナー補給装置２４との間には、排気口７２に連通する排気ダクト３４が構成されており、排気ダクト３４の一部は、現像槽６４およびトナー補給装置２４のそれぞれの互いに対向する壁部６４ａおよび壁部２４ａで構成されている。
【００４２】
現像槽６４の壁部６４ａの上部と、トナー補給装置２４の壁部２４ａの上部との間には、排気ダクト３４の上部（一部）を構成する第１ダクト構成部７８が配置されており、現像槽６４の壁部６４ａの下部と、トナー補給装置２４の壁部２４ａの下部との間には、排気ダクト３４の下部（一部）を構成する第１ダクト構成部８０が配置されている。第１ダクト構成部７８，８０のそれぞれは、現像ローラ７０の軸線に対して平行に延びる板状に形成されており、現像槽６４に一体的に設けられている。
【００４３】
図４（Ａ），（Ｂ）に示す第１搬送スクリュー６６は、トナーおよびキャリアを攪拌しながら第２搬送スクリュー６８に向けて搬送するものであり、図４（Ａ），（Ｂ）に示す第２搬送スクリュー６８は、トナーおよびキャリアを攪拌しながら現像ローラ７０に向けて搬送するものである。これらのスクリュー６６，６８は、モータなどの回転駆動源（図示省略）によって回転されるように構成されている。現像槽６４に収容されたトナーは、第１搬送スクリュー６６および第２搬送スクリュー６８で攪拌されることによって、キャリアと擦れ合って帯電する。
【００４４】
図４（Ａ），（Ｂ）に示す現像ローラ７０は、帯電したトナーを担持するとともに、このトナーを感光体ドラム５２（図１）に供給する円柱状または円筒状の部材である。現像ローラ７０は、モータなどの回転駆動源（図示省略）によって回転されるように構成されている。感光体ドラム５２（図１）にトナーを供給するとき、現像ローラ７０の表面には、トナーの帯電電位とは逆極性の電位が現像バイアス電圧として印加される。これにより、現像ローラ７０に担持されたトナーは、静電潜像に向けて円滑に移動する。
【００４５】
図４（Ａ），（Ｂ）に示す現像槽６４の内部には、トナー濃度を検知するトナー濃度検知センサが設けられている。このトナー濃度検知センサが検知したトナー濃度が所定値よりも低くなると、トナー補給装置２４に設けられた搬送スクリュー９６（図４（Ｂ））が駆動されて、トナー補給装置２４から現像槽６４にトナーが補給される。
【００４６】
図１に示すように、トナー補給装置２４は、トナーカートリッジ８４と、トナーホッパ８６とを有している。トナーカートリッジ８４は、未使用のトナーを収容する有底円筒状のトナー容器８８を有しており、トナー容器８８の下部には、トナー排出口（図示省略）が設けられている。トナー容器８８の内部には、トナー排出口（図示省略）にトナーを搬送するための搬送部（図示省略）が設けられている。
【００４７】
図３（Ａ），（Ｂ）に示すように、トナーホッパ８６は、トナーカートリッジ８４（図１）のトナー排出口（図示省略）から排出されたトナーを収容する半円筒状のトナー容器９０と、トナーを一定方向に搬送するためのトナー搬送路９２とを有している。図３（Ａ）に示すように、トナー搬送路９２の端部には、現像槽６４の内部空間に連通するトナー排出口９４が設けられている。そして、トナー容器９０の内部には、攪拌羽根（図示省略）が設けられており、トナー搬送路９２の内部には、トナー排出口９４に向けてトナーを搬送するための搬送スクリュー９６（図３（Ｂ））が設けられている。
【００４８】
図１に示すトナーカートリッジ８４は、トナーホッパ８６の上部に着脱可能に装着されており、トナーカートリッジ８４のトナーが無くなると、トナーカートリッジ８４だけを交換することができる。また、トナーホッパ８６をメンテナンスする際には、図１に示す出入口３２からトナー補給装置２４を引くことによって、第２装着部２６からトナー補給装置２４を離脱させることができる。
【００４９】
図４（Ａ），（Ｂ）に示すように、トナー補給装置２４を第２装着部２６（図１）に装着した状態では、現像槽６４とトナー補給装置２４との間に排気ダクト３４が構成される。この状態において、排気ダクト３４の一方端部は、本体部１２の後壁部１２ａ（図２）に設けられたダクト部３６に連通され、排気ダクト３４の他方端部は、本体部１２の出入口３２に設けられた蓋部９８（図１）で閉塞される。なお、蓋部９８は、トナー補給装置２４のトナーホッパ８６に一体的に設けられてもよい。
【００５０】
図１に示す転写部５４は、感光体ドラム５２の表面に形成されたトナー像をレジストローラ４６，４６から供給された用紙Ｐの表面に転写するものである。本実施例の転写部５４は、ローラ型の転写装置で構成されている。
【００５１】
図１に示すクリーニング部６０は、転写部５４による転写工程を経た後に、感光体ドラム５２の表面に残留するトナーや紙粉を除去するものである。本実施例のクリーニング部６０は、トナーや紙粉を掻き取る板状部材（図示省略）と、掻き取ったトナーや紙粉を回収する回収容器（図示省略）とで構成されている。
【００５２】
図１に示す定着部６２は、用紙Ｐに転写されたトナー像を定着させるものであり、トナー像のトナーを溶融させる加熱ローラ６２ａと、溶融したトナー像のトナーを用紙Ｐの表面に定着させる加圧ローラ６２ｂとで構成されている。
【００５３】
図１に示す画像形成装置１０を使用する際には、パーソナルコンピュータなどの外部装置（図示省略）から画像形成装置１０に対して画像情報が入力される。すると、まず、感光体ドラム５２の表面に露光部５８によって画像情報に基づいた静電潜像が形成される。続いて、現像装置２０から感光体ドラム５２に帯電したトナーが供給され、静電潜像がトナー像として顕在化される。そして、感光体ドラム５２のトナー像が転写部５４によって用紙Ｐの表面に転写され、その後、転写されたトナー像が定着部６２によって用紙Ｐの表面に定着される。
【００５４】
このような画像形成プロセスを高速で実行すると、図４（Ａ），（Ｂ）に示す第１搬送スクリュー６６および第２搬送スクリュー６８が高速で駆動されることによって、現像槽６４の内圧が上昇しようとする。しかし、図４（Ａ）に示すように、現像槽６４の内部空間は、排気口７２を介して排気ダクト３４の内部空間Ｓに連通されており、内部空間Ｓの空気は、排気ファン３８（図２）によって外部へ排出されるので、現像槽６４の内圧の上昇は生じ難い。したがって、現像槽６４の内圧の上昇によるトナーの飛散を防止できる。
【００５５】
第１実施例に係る画像形成装置１０によれば、上記構成により、以下の各効果を奏することができる。すなわち、図４（Ａ），（Ｂ）に示すように、排気ダクト３４の一部は、現像槽６４およびトナー補給装置２４のそれぞれの互いに対向する壁部６４ａ，２４ａで構成されている。したがって、排気ダクト３４をトナー補給装置２４から独立して構成する必要がなく、排気ダクト３４の断面積を広くして排気量を十分に確保することができる。また、排気ダクト３４を分割して簡単に形成することができる。
【００５６】
図１に示すように、トナー補給装置２４は、本体部１２の第２装着部２６に着脱可能に装着されるので、第２装着部２６からトナー補給装置２４を離脱させることによって、排気ダクト３４を分割することができる。これにより、排気ダクト３４の内部へのアクセスが容易になり、メンテナンスの作業性を高めることができる。
【００５７】
図２に示すように、本体部１２には、排気ダクト３４に連通するダクト部３６が設けられており、ダクト部３６には、排気ファン３８が設けられているので、排気ファン３８によって排気ダクト３４の内部空間Ｓの空気を強制的に排出でき、現像槽６４の内圧の上昇を効果的に抑制できる。
【００５８】
図３（Ａ）に示すように、現像装置２０は、現像ローラ７０を有しており、排気ダクト３４は、現像ローラ７０の軸線に対して平行に延びるように設けられているので、排気ダクト３４を現像ローラ７０に沿わせてコンパクトに構成することができる。
【００５９】
図４（Ａ），（Ｂ）に示すように、現像槽６４およびトナー補給装置２４のそれぞれの互いに対向する壁部６４ａ，２４ａの間には、排気ダクト３４の一部を構成する第１ダクト構成部７８，８０が配置されており、これらの第１ダクト構成部７８，８０は、現像槽６４に一体的に設けられている。したがって、互いに対向する壁部６４ａ，２４ａの間の隙間を第１ダクト構成部７８，８０で塞ぐことができる。
［第２実施例］
図５（Ａ）は、第２実施例に係る画像形成装置１００における現像装置１０２およびトナー補給装置１０４の一部の構成を示す拡大斜視図であり、図５（Ｂ）は、それらの一部の構成を示す拡大断面図である。
【００６０】
図５（Ａ），（Ｂ）に示す画像形成装置１００において、現像装置１０２は現像槽１０６を有している。現像槽１０６およびトナー補給装置１０４のそれぞれの互いに対向する壁部１０６ａ，１０４ａの間には、排気ダクト１０８の上部（一部）を構成する第２ダクト構成部１１０と、排気ダクト１０８の下部（一部）を構成する第２ダクト構成部１１２とが配置されている。これらの第２ダクト構成部１１０，１１２は、現像ローラ７０の軸線に対して平行に延びる板状に形成されており、トナー補給装置１０４に一体的に設けられている。具体的には、の第２ダクト構成部１１０，１１２は、トナー補給装置１０４が有するトナーホッパ１１４に一体的に設けられる。
【００６１】
排気ダクト１０８を現像槽１０６およびトナー補給装置１０４のそれぞれの互いに対向する壁部１０６ａ，１０４ａだけで構成すると、これらの壁部１０６ａ，１０４ａの間に隙間が生じるが、第２実施例では、トナー補給装置１０４に一体的に設けられた第２ダクト構成部１１０，１１２でこの隙間を塞ぐことができる。
［第３実施例］
図６（Ａ）は、第３実施例に係る画像形成装置１２０における現像装置１２２およびトナー補給装置１２４の一部の構成を示す拡大斜視図であり、図６（Ｂ）は、それらの一部の構成を示す拡大断面図である。
【００６２】
図６（Ａ），（Ｂ）に示す画像形成装置１２０において、現像装置１２２は現像槽１２６を有している。現像槽１２６およびトナー補給装置１２４のそれぞれの互いに対向する壁部１２６ａ，１２４ａの間には、排気ダクト１２８の上部（一部）を構成する第３ダクト構成部１３０と、排気ダクト１２８の下部（一部）を構成する第３ダクト構成部１３２とが配置されている。これらの第３ダクト構成部１３０，１３２は、現像ローラ７０の軸線に対して平行に延びる板状に形成されており、現像装置１２２およびトナー補給装置１２４を収容し、かつ、支持する本体部（図示省略）に一体的に設けられている。
【００６３】
排気ダクト１２８を現像槽１２６およびトナー補給装置１２４のそれぞれの互いに対向する壁部１２６ａ，１２４ａだけで構成すると、これらの壁部１２６ａ，１２４ａの間に隙間が生じるが、第３実施例では、本体部（図示省略）に一体的に設けられた第３ダクト構成部１３０，１３２でこの隙間を塞ぐことができる。
【００６４】
なお、上記の各実施例では、画像形成装置１０，１００，１２０がプリンタとして構成されているが、本発明の画像形成装置は、複写機やファクシミリとして構成されてもよいし、プリンタ、複写機およびファクシミリのうち２つ以上の機能を有する複合機として構成されてもよい。
【００６５】
上記の各実施例では、画像形成装置１０，１００，１２０がモノクロ印刷機として構成されているが、本発明の画像形成装置は、カラー印刷機として構成されてもよい。この場合には、色ごとに設けられた複数の現像装置および複数のトナー補給装置のそれぞれに対応するように、複数の排気ダクトが構成されてもよい。
【００６６】
上記の各実施例では、排気ダクトの内部空間Ｓの空気を排気ファン３８（図２）で外部へ排出するようにしているが、この排気ファン３８は省略されてもよい。
【符号の説明】
【００６７】
Ｓ  …内部空間
１０  ……画像形成装置
１２  …本体部
２０  …現像装置
２４  …トナー補給装置
２６  …第２装着部
３４  …排気ダクト
５２  …感光体ドラム（像担持体）
６４  …現像槽
７２  …排気口
７４  …フィルタ
【図１】
2018159726.tif 000003
【図２】
2018159726.tif 000004
【図３】
2018159726.tif 000005
【図４】
2018159726.tif 000006
【図５】
2018159726.tif 000007
【図６】
2018159726.tif 000008